(57)【要約】  束を形成するためにバリアー層に包まれた一群のタバコ産業製品を含む基部と、開いた位置と閉じた位置の間で回転するために基部に取り付けられた蓋と、蓋が開いた位置にある際にタバコ産業製品を取り出すための取り出し開口部を画定するバリアー層のセクションと、両側にそれぞれ第１および第２の面を有するラベルとを含むパッケージ。第１の面はラベルの第１の領域に形成され、バリアー層のセクションに貼り付けられ、第２の面はラベルの第２の領域によって形成され、蓋に貼り付けられる。中間部分が前記第１および第２の領域の間を延び、第１および第２の領域のそれぞれより脆くなるように構成されている。
2021511266.tif 000002
【特許請求の範囲】
【請求項１】
束を形成するためにバリアー層に包まれた一群のタバコ産業製品を含む基部と、
開いた位置と閉じた位置の間で回転するために基部に取り付けられた蓋と、
蓋が開いた位置にある際にタバコ産業製品を取り出すための取り出し開口部を画定するバリアー層のセクションと、
両側にそれぞれ第１および第２の面を有するラベルであって、第１の面はラベルの第１の領域に形成され、バリアー層の前記セクションに貼り付けられ、第２の面はラベルの第２の領域によって形成され、蓋に貼り付けられ、中間部分がこれら第１および第２の領域の間を延びているラベルとを含み、
ラベルはラベルの中間部分が第１の領域より脆くなるように構成されているパッケージ。
【請求項２】
中間部分はラベルの長手方向軸に対して直角に測定される第１の領域に対して小さい累積幅を含むことを特徴とする請求項１記載のパッケージ。
【請求項３】
中間領域は第１の領域から第２の領域へと徐々に狭くなることを特徴とする請求項２記載のパッケージ。
【請求項４】
ラベルを切り抜いて中間部分に窓が形成されていることを特徴とする請求項２記載のパッケージ。
【請求項５】
中間領域は中間領域の累積幅が第１および第２の領域の累積幅より狭くなるようにラベルの縁部から延びた凹部を含むことを特徴とする請求項２記載のパッケージ。
【請求項６】
ラベルの中間領域の累積幅は、ラベルの第１の領域の幅の８０％〜５０％または８０％〜６０％であることを特徴とする請求項２乃至５いずれか１項記載のパッケージ。
【請求項７】
ラベルの中間領域の累積幅は、ラベルの第１の領域の幅の約７０％であることを特徴とする請求項２乃至５いずれか１項記載のパッケージ。
【請求項８】
ラベルの中間領域は、ラベルの残りの部分から独立して自由に動く中間領域の部分を画定するように形成された切れ目を含み、これにより蓋を開いた位置の方へと回転させると、中間領域の前記部分がラベルの第２の領域によって画定される面に留まることを特徴とする請求項１記載のパッケージ。
【請求項９】
形成された切れ目によって画定された中間領域の部分は、蓋を開いた位置と閉じた位置の間で回転させた際に中間領域の前記部分が蓋の前壁によって画定された面に留まるように蓋に永久的に接着されることを特徴とする請求項８記載のパッケージ。
【請求項１０】
中間領域のラベル材は第１および第２の領域に対して脆弱化されていることを特徴とする請求項１乃至９いずれか１項記載のパッケージ。
【請求項１１】
中間部分はラベルの長手方向縁部の間で中間部分を横断して延びる脆弱化された線を含むことを特徴とする請求項１０記載のパッケージ。
【請求項１２】
脆弱化された線は、刻み目線および／またはエンボス加工された折り曲げ線および／またはミシン目線を含むことを特徴とする請求項１１記載のパッケージ。
【請求項１３】
第１および第２の領域とこれら第１および第２の領域の間を延びる中間部分とを含み、中間部分は、第１および第２の領域のそれぞれより脆弱化されているラベル。
【請求項１４】
中間部分はラベルの長手方向軸に対して直角に測定される第１の領域に対して小さい累積幅を含むことを特徴とする請求項１３記載のラベル。
【請求項１５】
中間領域は、第１の領域から第２の領域へと徐々に狭くなっていることを特徴とする請求項１４記載のラベル。
【請求項１６】
ラベルを切り抜いて中間部分に窓が形成されていることを特徴とする請求項１４記載のラベル。
【請求項１７】
中間領域は中間領域の累積幅が第１および第２の領域の累積幅より狭くなるようにラベルの縁部から延びた凹部を含むことを特徴とする請求項１４記載のラベル。
【請求項１８】
ラベルの中間領域の累積幅は、ラベルの第１の領域の幅の８０％〜５０％または８０％〜６０％であることを特徴とする請求項１４乃至１７いずれか１項記載のラベル。
【請求項１９】
ラベルの中間領域の累積幅は、ラベルの第１の領域の幅の約７０％であることを特徴とする請求項１４乃至１７いずれか１項記載のラベル。
【請求項２０】
ラベルの中間領域は、中間領域にフラップを画定するように形成された切れ目を含むことを特徴とする請求項１３記載のラベル。
【請求項２１】
中間領域のラベル材は第１および第２の領域に対して脆弱化されていることを特徴とする請求項１３乃至２０いずれか１項記載のラベル。
【請求項２２】
中間部分はラベルの長手方向縁部の間で中間部分を横断して延びる脆弱化された線を含むことを特徴とする請求項１３記載のラベル。
【請求項２３】
脆弱化された線は、刻み目線および／またはエンボス加工された折り曲げ線および／またはミシン目線を含むことを特徴とする請求項２２記載のラベル。
【請求項２４】
接着剤が第１および第２の領域に塗布されていることを特徴とする請求項１３乃至２３いずれか１項記載のラベル。
【請求項２５】
接着剤は第１の領域を形成するラベルの第１の面と第２の領域を形成するラベルの第２の面に塗布され、第１および第２の面はラベルの表と裏側であることを特徴とする請求項２４記載のラベル。
【請求項２６】
ラベルの第１および第２の領域の間を延びる中間部分を脆弱化する方法であって、これは中間部分をレーザーカッティングおよび／またはスコアリング処理することを含む方法。
【発明の詳細な説明】
【技術分野】
【０００１】
本発明は喫煙品などのタバコ産業製品用パッケージに関する。特に本発明は喫煙品の束を含む基部と、開いたおよび閉じた位置の間で回転するように基部に取り付けられ、喫煙品の束に触れて取り出せるようにする蓋とを有するヒンジ式蓋付きパッケージに関する。
【背景技術】
【０００２】
紙巻きタバコなどの喫煙品はパッケージに入れられて販売される。従来のパッケージは、多くは基部とヒンジ式蓋を有するボール紙から作製された外方紙パックを含む。基部は一束の喫煙材を含む。喫煙品は、蓋を開けた際に消費者がパッケージから喫煙品を取り出しやすくするための取り出し開口部を画定するセクションを有する可撓性バリアー層に包まれている。その開口部は、取り外し可能なセクションに亘って延び、このセクションと蓋に貼り付けられる可撓性のラベルによって閉じられ、蓋を開けると同時にラベルが消費者によって剥がされ、取り出し開口部を露出させるようになっている。ラベルの周辺領域は、ラベルが開口部の縁部に周囲でバリアー層に重なる所で非永久繰り返しシール可能な接着剤でコートしてラベルが何回でも剥がせて、そして元に戻してパッケージを繰り返しシールしてパッケージの残っている喫煙品の鮮度を保つようにしてもよい。
【発明の概要】
【０００３】
本発明のいくつかの実施態様では、パッケージが提供され、これは
束を形成するためにバリアー層に包まれた一群のタバコ産業製品を含む基部と、
開いた位置と閉じた位置の間で回転するために基部に取り付けられた蓋と、
蓋が開いた位置にある際にタバコ産業製品を取り出すための取り出し開口部を画定するバリアー層のセクションと、
両側にそれぞれ第１および第２の面を有するラベルであって、第１の面はラベルの第１の領域に形成され、バリアー層の前記セクションに貼り付けられ、第２の面はラベルの第２の領域によって形成され、蓋に貼り付けられ、中間部分がこれら第１および第２の領域の間を延びているラベルとを含み、
ラベルはラベルの中間部分が第１の領域より脆くなるように構成されている。
【０００４】
中間部分はラベルの長手方向軸に対して直角に測定される第１の領域に対して小さい累積幅を含んでもよい。
【０００５】
中間領域は、第１の領域から第２の領域へと徐々に狭くなってもよい。
【０００６】
ラベルを切り抜いて中間部分に窓を形成してもよい。
【０００７】
中間領域は中間領域の累積幅が第１および第２の領域の累積幅より狭くなるようにラベルの縁部から延びた凹部を含んでもよい。
【０００８】
ラベルの中間領域の累積幅は、ラベルの第１の領域の幅の８０％〜５０％または８０％〜６０％であってもよい。
【０００９】
ラベルの中間領域の累積幅は、ラベルの第１の領域の幅の約７０％であってもよい。
【００１０】
ラベルの中間領域は、ラベルの残りの部分から独立して自由に動く中間領域の部分を画定するように形成された切れ目を含んでもよく、これにより蓋を開いた位置の方へと回転させると、中間領域の前記部分がラベルの第２の領域によって画定される面に留まる。
【００１１】
形成された切れ目によって画定された中間領域の部分は、蓋を開いた位置と閉じた位置の間で回転させた際に中間領域の前記部分が蓋の前壁によって画定された面に留まるように蓋に永久的に接着されてもよい。
【００１２】
中間領域のラベル材は第１および第２の領域に対して脆弱化されてもよい。
【００１３】
中間部分はラベルの長手方向縁部の間で中間部分を横断して延びる脆弱化された線を含んでもよい。
【００１４】
脆弱化された線は、刻み目線および／またはエンボス加工された折り曲げ線および／またはミシン目線を含んでもよい。
【００１５】
また本発明のいくつかの実施態様では、第１および第２の領域とこれら第１および第２の領域の間を延びる中間部分とを含むラベルが提供され、ラベルの中間部分は第１および第２の領域のそれぞれより脆い。
【００１６】
中間部分はラベルの長手方向軸に対して直角に測定される第１の領域に対して小さい累積幅を含んでもよい。
【００１７】
中間領域は、第１の領域から第２の領域へと徐々に狭くなってもよい。
【００１８】
ラベルを切り抜いて中間部分に窓を形成してもよい。
【００１９】
中間領域は中間領域の累積幅が第１および第２の領域の累積幅より狭くなるようにラベルの縁部から延びた凹部を含んでもよい。
【００２０】
ラベルの中間領域の累積幅は、ラベルの第１の領域の幅の８０％〜５０％または８０％〜６０％であってもよい。
【００２１】
ラベルの中間領域の累積幅は、ラベルの第１の領域の幅の約７０％であってもよい。
【００２２】
ラベルの中間領域は、中間領域にフラップを画定するように形成された切れ目を含んでもよい。
【００２３】
中間領域のラベル材は第１および第２の領域に対して脆弱化されてもよい。
【００２４】
中間部分はラベルの長手方向縁部の間で中間部分を横断して延びる脆弱化された線を含んでもよい。
【００２５】
脆弱化された線は、刻み目線および／またはエンボス加工された折り曲げ線および／またはミシン目線を含んでもよい。
【００２６】
接着剤が第１および第２の領域に塗布されてもよい。
【００２７】
接着剤は第１の領域を形成するラベルの第１の面と第２の領域を形成するラベルの第２の面に塗布してもよく、第１および第２の面はラベルの表と裏側である。
【００２８】
また本発明のいくつかの実施態様では、ラベルの第１および第２の領域の間を延びる中間部分を脆弱化する方法が提供され、これは中間部分をレーザーカッティングおよび／またはスコアリング処理することを含む。
【図面の簡単な説明】
【００２９】
添付図面を参照して本発明の実施態様をあくまで例示を目的として説明する。
【図１】タバコ産業製品用パッケージを示す。
【図２】パッケージの正面図である。
【図３】パッケージの内部フレームを示す。
【図４】タバコ産業製品の束を含む内部フレームの平面図である。
【図５】パッケージの側面図である。
【図６Ａ】パッケージに使用するラベルの例を示す。
【図６Ｂ】パッケージに使用するラベルの例を示す。
【図６Ｃ】パッケージに使用するラベルの例を示す。
【図６Ｄ】パッケージに使用するラベルの例を示す。
【図６Ｅ】パッケージに使用するラベルの例を示す。
【図６Ｆ】パッケージに使用するラベルの例を示す。
【図６Ｇ】パッケージに使用するラベルの例を示す。
【図７】パッケージの試験時に取った試験データの表である。
【図８】試験データをグラフに示したチャートである。
【発明を実施するための形態】
【００３０】
図１は本発明の実施態様によるパッケージを例示している。パッケージは、ヒンジ式蓋２と束６を形成するためにバリアー層５に包まれた一群の紙巻きタバコ４を含む基部３を有する硬質の板紙からなるパッケージ１を含み、この束は蓋２がその開いた位置にあるとき、パッケージ１の基部３の開口端から突出する。取り出し開口部８の境界または縁部７は紙巻きタバコ４に触れられるようにするためのバリアー層５に取り外し可能なフラップ５ａまたはセクション５ａを形成し、バリアー層５の後ろ側から束の上部を横断して前壁下方取り出し開口縁部７ａまで前面を下方に延びている。紙巻きタバコ４を包むバリアー層５は金属化プラスチックまたはプラスチックまたは金属箔ラミネートで作製したものであってもよい。ラベル９が以下に説明するようにフラップ５ａを持ち上げるために設けられている。
【００３１】
ラベル９は、可撓性の薄いシート材からなり、最初にパッケージ１を開ける前に取り出し開口部８とセクション５ａに重なる第１の領域１０を含む。これは図２により明確に示されており、第１の領域１０の下方の境界が破線Ｘで示されており、これはその下方に延びるラベル９のさらなる領域１１、１２と第１の領域１０の境界を画定している。ラベル９の第１の領域１０は、第１の領域１０の周辺部が束６への取り外し自在の接着のために取り出し開口部８を越えて位置するように取り出し開口部８に重なり、それを越えて延びている。
【００３２】
バリアー層５とセクション５ａに向いたラベル９の第１の領域１０によって形成された第１の面の一部には繰り返し接着可能な接着剤がコートされている。誤解を避けるためにラベル９の第１の面は、ラベルの下側、即ちバリアー材に面した方のラベル９の面である。
【００３３】
これとは別に繰り返し接着可能な接着剤で周辺部をコーティングしつつ、セクション５ａに重なるがこれを越えて延びないラベル９の第１の領域１０の下側の部分に、永久接着剤を塗布してもよい。使用時、ラベル９は、以下に説明するように下方縁部２７から徐々に束６から離れるように剥がされ、取り出し開口部８を露出させる。繰り返し接着可能な接着剤がラベルを取り外し可能なセクション５ａに貼り付けるために使用される場合、その接着剤の強度は、ラベルが常に取り外し可能なセクション５ａに接着されたままになるように選択される。
【００３４】
蓋２は後壁１４の下方縁部に沿って基部３にヒンジ式に取り付けられ、さらに後壁１４に対向して配され、側部パネル１６、１７によって後壁から隔てられている前壁１５をさらに含む。前壁１５、後壁１４および側部パネル１６、１７の下方縁部は開口部を画定し、これを介して束６の突出した部分が蓋２が閉じた位置にあるときに受けられる。
【００３５】
ラベル９の第２の領域１２によって形成された第２の面の一部は、ラベル９が蓋２を開けたと同時にバリアー層５から剥がされるように蓋２の前壁１５の内側の面に永久的に接着される。当然のことながらラベル９の第２の面は、第１の面のラベル９の反対側であり、第２の面はバリアー層５から見て外側に向く面である。
【００３６】
蓋２をその開いた位置にそのヒンジを中心に枢動させると、ラベル９の第２の領域１２と蓋２の接続によりラベル９も引っ張られる。その結果、図１に最も明確に示されているようにラベル９が取り出し開口部８から離れるようにめくられるまたは巻かれて、バリアー層５のセクション５ａはラベル９と共に取り出し開口部８から離れるように持ち上げられる。
【００３７】
最初に開封すると、セクション５ａをバリアー層５の残りの部分から隔てる取り出し開口部８の縁部７は、バリアー材５の脆弱化された線または実際の切れ目によって画定され、ラベル９の第１の領域１０の下側に接着したままのバリアー層５のセクション５ａがラベル９が剥がされた際に脆弱化された線または切れ目に沿ってバリアー層５の残りの部分から離れて取り出し開口部８を開口するようにしてもよい。これにより消費者は取り出し開口部８を介して束８から紙巻きタバコ４を自由に取り出すことができる。取り出し開口部８を再封止または閉じるために消費者は蓋をその閉じた位置に動かし、ラベル９が取り出し開口部８上に巻き戻され、ラベル９の周辺部が取り出し開口部８の周辺を囲む領域のバリアー層５に再度接着するようにする。ラベル９が剥がされた際の分離によって形成されたバリアー層５のセクション５ａは取り出し開口部８内の元の位置に戻される。バリアー層５に分離線があるが、それはラベル９の接着された周辺部によって覆われる。
【００３８】
確実に良好に接着するために図３および４に示すように内部フレーム１８がバリアー層５の下の紙巻きタバコ４の周囲を部分的延びるように束６内に設けられる。内部フレーム１８は取り出し開口部８の周囲でラベル９によって掛かる再封止の際の圧力に対してバリアー層５の下で反応面を供し、束６がパッケージの基部３内でその形状を紙巻きタバコ４が取り出された後に維持するのに役立つ。図２に示すようにボール紙で作製されてもよい内部フレーム１８は、前パネル１９、２つの側部パネル２０および底部パネル２１を有する。切れ目または折り曲げ線２２、２３は、側部フラップ２０がパネル１９に対して直角に折り曲げられると図４に示すような角を形成する。底部フラップ２１も直角に折り曲げられる。肩フラップ２５が側部フラップ２０の上縁部から延び、紙巻きタバコの上端を部分的に多い、バリアー材５の下をさらに支持するために直角に折り曲げられる。内部フレーム１３が折り曲げられると、開口部２４が形成され、これは取り出し開口部８に対応し、そこから紙巻きタバコ４に触れることができる。開口部２４は前パネル１９の基部縁部２５へと延びている。
【００３９】
本実施態様ではラベル９の第２の領域１２の第２の面が蓋２に貼り付けられるので、ラベル９の第１および第２の領域１０、１２の間で延びる中間部分１１は、図５に示すように蓋２が途中まで開いた状態にあるときＳ字状の曲げを形成する。
【００４０】
Ｓ字状の曲げは、蓋２がその閉じた位置から離れるように回転する際の抵抗として作用する力を蓋２に加える。これにより蓋２がその閉じた状態と図５に示すようにある程度開いた状態の間の最初の回転時に開けにくくなる。蓋を最初に開ける際にＳ字形状を取る中間部分によって蓋に加えられる力が以下にさらに詳しく説明するように中間部分がより脆くなることの結果として小さくなるので、蓋２がラベル９の中間部分１１の構造によって開けやすくなるということは本発明の利点の１つである。
【００４１】
本発明の目標の１つはＳ字形状の曲げを形成するために必要とされる力を小さくするために中間部分を脆弱化することである。従って、蓋２の最初の回転時に必要とされる力は小さくなり、簡単に開くようになる。
【００４２】
より具体的にはラベルをＳ字状に曲げる結果として中間分によって加えられる力が小さくなるように中間部分の脆弱化はラベルの曲げ剛性を小さくする。曲げ剛性はラベルの断面二次モメントとヤング率の積に比例する。
【００４３】
当然のことながら蓋２の前壁１５の内側の面にラベル９によってかけられる力が本発明の実施態様によって小さくなるので、ラベル９を蓋２の前壁１５の内側の面に接着する永久接着剤は小さい応力下に配置される。このことは上記永久接着剤がその後パッケージを繰り返し開けた後のラベル９が蓋から剥がれにくくするというさらなる利点をもたらす。
【００４４】
上述のパッケージと共に使用するように設計された本発明の実施態様のラベル９を図６Ａ〜６Ｇに示す。
【００４５】
第１の領域１０に対して中間部分１１のラベル９の累積幅を小さくすることによって脆弱化を行ってもよい。これは蓋を最初に開ける際にＳ字形状に曲げなければならない中間部分１１のラベル材の量を減らす効果がある。曲げる材料が少なければ、蓋２を開けるために必要とされる力は小さくなり、最初に開ける際の引っかかる感じが部分的に軽減される。
【００４６】
本実施態様ではラベル９の累積幅はラベル９の長手方向軸に直角に、即ちラベル９の下方および上方縁部２７、２８が交わる軸Ａ−Ａに直角に測定される。図６Ａ〜６Ｄは、中間部分の累積幅が第１の領域１０に対して小さくなっているいくつかのラベル９の例を示している。図に示すように中間部分１１の累積幅は、図６Ａ〜６Ｃに示すように中間部分１１の累積幅を小さくするまたは図６Ｄに示すように中間部分１１に１つ以上の窓を形成するために切り欠きを設けることのいずれかまたは両方によって小さくすることができる。窓２９が中間部分１１に設けられる場合、累積幅は窓２０の幅の分小さくなる。この点に関し、当然のことながら累積幅は、単純にラベル９の対向側部間の距離である全幅と区別される。一方、累積幅はラベル材が存在する箇所の幅の合計である。
【００４７】
ラベル９の中間部分１１の累積幅を中間部分１１の全幅を小さくすることによって第１の領域１０に対して小さくする場合、それは図６Ｂおよび６Ｃに示すようにラベル９の中間部分１１の対向する平行な側部に段を設けるまたは図６Ａに示すようにラベル９を第２の領域に向かってゆるやかにテーパーさせることによって行ってもよい。ラベル９の中間部分１１の対向側部が図６Ａに示すように平行でない場合、中間部分１１の累積幅はその最も狭いポイントで定められる。
【００４８】
また確実に充分なラベルの領域が蓋２の内側の面に接着させるためにできるように第２の領域１２の全幅を最小にすることも望ましい。これは図６Ｃに示すように第２の領域１２のラベルの対向側部を切り抜いて段を設けることによって実行される。言い換えれば、ラベル９は第２の領域１２の全幅が第１の領域に対して変わらずに維持されるように中間部分１１の対向する平行な側部に切れ込みを入れることができ、一方、中間部分１１の全幅を第１および第２領域１０、１２に対して小さくする。
【００４９】
１つの矩形の窓２６だけが図６Ｄの実施態様で例示されているが、当然のことながら１つ以上の窓２６を中間部分においてラベル９の累積幅を減少させる効果を供するあらゆる形状にしてもよい。
【００５０】
図６Ｅに示す別の実施態様ではＵ字状の切れ目２９が中間部分１１に設けられ、ラベルに１つ以上のフラップを画定している。これはラベル９に切れ目を入れる際に除去して廃棄する穿孔くず材がないので、完全な窓２６を設けるより製造が簡単である。代わりにＵ字状の切れ目によって画定されたフラップの領域の外面にも、蓋を開けた際に蓋２の前壁１５の内側の面にフラップが接着したままになるように永久接着剤が塗布される。従って、Ｕ字状の切れ目によって画定されたフラップは、蓋２を最初に開ける際にＳ字状に曲げられないが、蓋２の前壁１５によって画定された面に留まり、従ってラベル１２の第２の領域に平行になる。これは、使用時に蓋２が開けられ、中間部分１１がＳ字状に曲げられる際に中間部分１１の累積幅は第１の領域１０に対して小さくなるのでラベル９の中間部分１１を脆弱化する効果を有する。
【００５１】
当然のことながら切れ目２９によって画定された中間部分１１のフラップは、脆弱化の効果を供することが不可欠なことではないので、蓋２の内側の面に接着される必要はない。代わりに中間部分１１の前記フラップはラベル９の残りの部分から独立して自由に動いてもよい。それでも前記フラップが蓋２の内側の面に接着されるかに関係無く、前記フラップは蓋２を最初に開ける際にＳ字形状に曲げられるラベル９の幅に貢献しないので、脆弱化する効果は供される。
【００５２】
さらに当然のことながら切れ目２９はＵ字状である必要はない。ラベル９の残りの部分から独立して動くための中間部分１１のフラップまたは領域の境界を定めるあらゆる形状が同じ技術的利点を供与する。例えば図６Ｇに例示する別の実施態様では切れ目２９は正弦曲線形状を形成している。これは正弦曲線状の切れ目２９の２つの頂点の間のトラフ３１によって境界が定められている舌部３１を画定する。舌部３１は蓋２に接着されていないが、代わりに蓋２が閉じられる際にカチッという音が聞こえるように蓋２の前壁１５の内側の面をはじくと有利である。このようなカチッと聞こえることは品質保証を表すと消費者には一般的に思われている。
【００５３】
別の実施態様では脆弱化は、ラベル９の長手方向軸に直角に中間部分１１を横断して延びる脆弱化された線３０によって設けてもよい。例えば、図６Ｆに示す別の実施態様では刻み目線３０が中間部分１１を横断して延びて設けられ、その領域の曲げに対する抵抗を減少させている。Ｓ字形状を形成するために必要とされる力は、最初にパッケージを開ける際に小さくなる。脆弱化された線３０は、刻み目線に限定されず、例えば、エンボス加工された折り曲げ線またはミシン目線などであってもよい。
【００５４】
図６Ａ〜６Ｅおよび６Ｇを参照して説明した実施態様ではラベル９の中間部分１１を脆弱化する方法は、好ましくは中間部分１１の累積幅を小さくするまたは中間部分１１に窓２６またはスリット２９切り抜くなどのためにレーザーカッターを使用してラベル９を成形することを含む。図６Ｆを参照して説明した実施態様ではその方法はレーザースコアラー（ｌａｓｅｒ  ｓｃｏｒｅｒ）を使用して中間部分に切れ目を入れて脆弱化された線３０を設けることを含んでもよい。
【００５５】
本発明の上述の実施態様ではラベル材自体がそれが曲げに対してもともと抵抗が小さくなるように脆弱化されてもよい。例えば、上述の種類のラベルは、例えば配向ポリプロピレンの層を有するラミネートから構成されてもよい。ラミネートの１つの層を中間部分１１から省略してラベルの第１および第２の領域１０、１２に対する局部強度を小さくしてもよい。
【００５６】
上述の実施態様では蓋２はフラップにタック（図示せず）を含んでもよい。このようなフラップは紙巻きタバコの分野では従来から使用されており、前壁の内側の面に対して折り曲げられ、それに接着される蓋２の前壁１５の下方縁部から延びる追加のパネルを示す。次にラベル９の第２の領域はフラップのタックに接着される。
【００５７】
パッケージは通常ボール紙で形成されるが、一面に金属化仕上げを有するボール紙を使用して光沢があって目を引く外観を設ける場合がある。上述のラベルのようなラベル９は金属化されたボール紙の光沢のある方の面にうまく接着しないことが分かっている。そのような場合、フラップのタックから延びた追加のフラップを設けて、このフラップがフラップのタックと追加のパネルが蓋２の前壁１５の内側の面に対して平らになるように折り曲げられるようにするのが望ましい。上述の実施態様のラベル９もそのようなパッケージと使用することが想定され、その追加のパネルを設けることはラベル９の第２の領域１２に良好に接着するための非金属化面を供する。追加のパネルとフラップのタックは互いに接着してもよく、あるいは必要に応じて蓋２の前壁１５に対して自由にヒンジ式に動くようにしてもよい。
【００５８】
図７は第１の領域１０の幅のパーセンテージで表された第１の領域１０に対する中間部分１１のラベルの累積幅を減少させたことによる蓋２を開けるために必要とされる力への効果を示す試験結果の表である。各累積幅の値について３つの力の数値が読まれる。各力の測定値は蓋２を開けるために必要とされるピーク力をグラムで表している。
【００５９】
試験を行うためにサンプルパッケージ１をそれが基部３の底面で立ち、所定の場所に安定するような向きにした。フックを蓋２の前壁の下方縁部の下に置き、蓋２が開いた位置に回転するように上に向けて垂直に格納した。フックによって加えられた力を変位と共に記録した。ピーク力とピーク力が起こった変位を記録した。図７を参照すると、ピーク力は、「最大負荷（ｇｆ）」という見出しのカラムの値に対応し、ピーク力が起こる変位は、「最大負荷時の引っ張り伸張（tensile extension at max load）（ｍｍ）」という見出しのカラムの値に対応する。この表はピーク力が最初に開ける際の蓋２の移動に等しい蓋２の約５ｍｍの変位で確実に記録されること示している。
【００６０】
図８は図７のデータの散布図である。各パーセンテージで表された幅データのセットについて読み取られた３つの値の平均を取り、エラーバーとして示される各データセットの力の最大および最小値でプロットした。最良の当てはめ二次多項式直線を加えて傾向をグラフとして示した。
【００６１】
その試験結果は第１領域１０に対して中間部分１１の累積幅を小さくすることは、パッケージを最初に開ける際に必要とされるピーク力の減少につながることを示している。好ましい実施態様では第１の領域１０の幅のパーセンテージとして表されるラベル９の中間部分１１の幅は８０％〜５０％、より好ましくは８０％〜６０％、さらに好ましくは約７０％である。しかしながら、ラベルが５０％〜６０％または５０％〜７０％である実施態様も除外されない。第１の領域１０に対する中間部分１１の幅の選択は、必要とされる特定の開ける際の特性に依存する。
【００６２】
上述の実施態様のラベルの第１の領域の幅は、５０ｍｍ〜３０ｍｍ、より好ましくは４５ｍｍ〜３５ｍｍ、さらに好ましくは４５ｍｍ〜４０ｍｍであってもよい。特に好ましい実施態様では、ラベルの第１の領域の幅は４２ｍｍである。前記幅はラベル９の第１の領域１０の対向長手方向側部間の最も幅の広い箇所で測定された全幅である。
【００６３】
当然のことながら 第１の領域１０の幅は、ユーザーが紙巻きタバコ４を取り出せるように充分広くなければならない取り出し開口部を覆うという要求によって主に必要とされる。
【００６４】
本明細書中で使用する「タバコ産業製品」なる用語は、紙巻きタバコ、シガリロ、シガー、パイプ用または手巻き紙巻きタバコ用タバコ（タバコ、タバコ派生物、膨張タバコ、再生タバコ、タバコ代替え品または他の喫煙材をベースにしているかに関係なく）などの燃焼性喫煙品、電子タバコなどの電子喫煙品、タバコ加熱製品などの燃焼させずに基材から化合物を放出する加熱装置および例えば液体または固体基材を含むハイブリッドシステムのような基材を組あわせたものからエアロゾルを発生させるハイブリッドシステムを含む喫煙品を包含すると理解されるべきである。
【００６５】
１つの実施態様ではタバコ産業製品は紙巻きタバコ、シガリロおよびシガーからなる群から選択される燃焼喫煙品である。
【００６６】
１つの実施態様ではタバコ産業製品は非燃焼性喫煙品である。
【００６７】
１つの実施態様ではタバコ産業製品は基材を燃やさずに加熱することによって化合物を放出する加熱装置である。基材は、タバコまたはニコチンを含むまたは含まない非タバコ製品であってもよい。１つの実施態様では加熱装置はタバコ加熱装置である。
【００６８】
別の実施態様では タバコ産業製品は基材を組あわせたものを燃やさずに加熱することによってエアロゾル発生させるハイブリッドシステムである。基材は、例えば固体、液体またはゲルであってもよく、これらはニコチンを含むまたは含まなくてもよい。１つの実施態様ではハイブリッドシステムは液体またはゲル基材と固体基材とを含んでもよい。固体基材は、例えばタバコまたはタバコまたはニコチンを含むまたは含まない非タバコ製品であってもよい。１つの実施態様ではハイブリッドシステムは液体またはゲル基材とタバコとを含んでもよい。
【００６９】
本発明の実施態様はタバコ産業製品、例えば紙巻きタバコを参照して説明した。しかしながら、当然のことながら本発明のパッケージはこれとは別に非タバコ産業関連製品に使用してもよい。
【００７０】
種々の問題の対処と技術の発展のため、本開示全体は種々の実施形態を例示的に示しており、これらの実施形態では特許請求された発明が実践され、優れたタバコ産業製品用パッケージを提供することができる。本開示の利点および特徴は実施形態の単なる代表的な具体例であり、包括的でも排他的でもない。これらは特許請求された特徴の理解と教示の単なる補助に提供されている。当然だが、本開示の利点、実施形態、具体例、機能、特徴、構造、および／または他の側面は本開示を特許請求の範囲に規定されたとおりに限定するあるいは特許請求の範囲の均等物に限定すると考えるべきではなく、本開示の範囲および／または思想から乖離することなく他の実施形態を利用しても改変してもよいと考えるべきである。種々の実施形態は、開示された構成要素、成分、特徴、部品、工程、手段他の組合せを適切に備えても、これらで構成されても、基本的にこれらで構成されてもよい。また本開示は、現在は特許請求されていないが将来特許請求される可能性がある他の発明を含む。
【図１】
2021511266.tif 000003
【図２】
2021511266.tif 000004
【図３】
2021511266.tif 000005
【図４】
2021511266.tif 000006
【図５】
2021511266.tif 000007
【図６Ａ】
2021511266.tif 000008
【図６Ｂ】
2021511266.tif 000009
【図６Ｃ】
2021511266.tif 000010
【図６Ｄ】
2021511266.tif 000011
【図６Ｅ】
2021511266.tif 000012
【図６Ｆ】
2021511266.tif 000013
【図６Ｇ】
2021511266.tif 000014
【図７】
2021511266.tif 000015
【図８】
2021511266.tif 000016
【国際調査報告】
2021511266.tif 000017
2021511266.tif 000018